(57)【要約】【課題】グループ印刷ジョブについて、進捗状況を提示する項目にしたがって、進捗状況を提示することができる情報処理装置を提供する。【解決手段】情報処理装置の受付手段は、複数の印刷ジョブによって構成されているグループ印刷ジョブの進捗状況を受け付け、提示手段は、進捗状況を提示する項目にしたがって、前記グループ印刷ジョブの進捗状況を提示する。【選択図】図１
2019096022.tif 000002
【特許請求の範囲】
【請求項１】
複数の印刷ジョブによって構成されているグループ印刷ジョブの進捗状況を受け付ける受付手段と、
進捗状況を提示する項目にしたがって、前記グループ印刷ジョブの進捗状況を提示する提示手段
を有する情報処理装置。
【請求項２】
前記項目は、グループ印刷ジョブ毎に定められている、
請求項１に記載の情報処理装置。
【請求項３】
前記項目として、少なくとも前記グループ印刷ジョブを構成している印刷ジョブが終了した数を含む、
請求項２に記載の情報処理装置。
【請求項４】
前記提示手段は、前記進捗状況とともに前記項目を提示する、
請求項１に記載の情報処理装置。
【請求項５】
前記提示手段は、前記進捗状況として、プログレスバーを用いて提示し、該プログレスバー内に、前記項目を提示する、
請求項４に記載の情報処理装置。
【請求項６】
コンピュータを、
複数の印刷ジョブによって構成されているグループ印刷ジョブの進捗状況を受け付ける受付手段と、
進捗状況を提示する項目にしたがって、前記グループ印刷ジョブの進捗状況を提示する提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ワークフローを構築するシステム管理者にとっては、全体の進捗状況や進捗度合いを直感的に把握することはできないことを課題とし、各アクティビティに要するコストは全て平等であることを前提とし、ノードに対する残アクティビティ数とアクティブパスによる実行中パスから進捗率を算出し、進捗率の計算方法は、進捗率Ｓｔ＋１は残進捗率（１００−Ｓｔ）を遷移する可能性がある総アクティビティ数で割ったものを現在の進捗率Ｓｔに加算することで求まることが開示されている。
【０００３】
特許文献２には、目的とする印刷ジョブの検索が容易な印刷管理プログラム、印刷管理装置、印刷管理方法及び印刷システムを提供することを課題とし、コンピュータを、印刷ジョブの進捗を複数のカテゴリに分け、該カテゴリを選択可能に表示するジョブ進捗表示手段、印刷ジョブの進捗を記録する第１テーブルから、選択されたカテゴリに対応する進捗の印刷ジョブを選択して一覧表示し、印刷ジョブの状態に応じた機能を記録する第２テーブルから、一覧表示した印刷ジョブの状態に応じた機能を選択して該機能の実行を受け付けるアイコンを表示するジョブ一覧表示手段、として機能させる印刷管理プログラムについて開示されている。
【０００４】
特許文献３には、相異なる進捗管理システムで管理されている複数の業務の進捗を集約して表示することにより、複数の業務の進捗を同時かつ容易に確認させることが可能な進捗状況表示装置を得ることを課題とし、進捗状況表示装置は、業務毎の表示フォーマット及び業務毎の表示の必要性の有無を示す設定情報を保持しておく設定情報記憶部と、設定情報に基づいて、進捗を集約して表示する対象の業務を特定し、対象業務の進捗を管理している進捗管理システムから進捗データを取得するデータ取得部と、設定情報及び進捗データに基づいて表示部の制御を行い、表示部へ対象業務についての進捗を集約して表示させる進捗状況表示制御手段（統轄データ生成部，表示制御部）と、を備えていることが開示されている。
【先行技術文献】
【特許文献】
【０００５】
【特許文献１】特開２００６−１２６９８６号公報
【特許文献２】特開２０１２−１８１５７２号公報
【特許文献３】特開２００９−０３７３０９号公報
【発明の概要】
【発明が解決しようとする課題】
【０００６】
例えば、ロール紙等の交換作業を減少させて、画像形成装置のロスタイムを軽減させるために、複数の印刷ジョブによって構成されているグループ印刷ジョブにしたがって印刷を行わせることがある。
グループ印刷ジョブは単独の印刷ジョブとは異なり、様々な印刷ジョブが含まれていることがある。したがって、単独の印刷ジョブとは異なる項目で、グループ印刷ジョブによって進捗状況を知りたい場合がある。
本発明は、グループ印刷ジョブについて、進捗状況を提示する項目にしたがって、進捗状況を提示することができる情報処理装置及び情報処理プログラムを提供することを目的としている。
【課題を解決するための手段】
【０００７】
かかる目的を達成するための本発明の要旨とするところは、次の各項の発明に存する。
請求項１の発明は、複数の印刷ジョブによって構成されているグループ印刷ジョブの進捗状況を受け付ける受付手段と、進捗状況を提示する項目にしたがって、前記グループ印刷ジョブの進捗状況を提示する提示手段を有する情報処理装置である。
【０００８】
請求項２の発明は、前記項目は、グループ印刷ジョブ毎に定められている、請求項１に記載の情報処理装置である。
【０００９】
請求項３の発明は、前記項目として、少なくとも前記グループ印刷ジョブを構成している印刷ジョブが終了した数を含む、請求項２に記載の情報処理装置である。
【００１０】
請求項４の発明は、前記提示手段は、前記進捗状況とともに前記項目を提示する、請求項１に記載の情報処理装置である。
【００１１】
請求項５の発明は、前記提示手段は、前記進捗状況として、プログレスバーを用いて提示し、該プログレスバー内に、前記項目を提示する、請求項４に記載の情報処理装置である。
【００１２】
請求項６の発明は、コンピュータを、複数の印刷ジョブによって構成されているグループ印刷ジョブの進捗状況を受け付ける受付手段と、進捗状況を提示する項目にしたがって、前記グループ印刷ジョブの進捗状況を提示する提示手段として機能させるための情報処理プログラムである。
【発明の効果】
【００１３】
請求項１の情報処理装置によれば、グループ印刷ジョブについて、進捗状況を提示する項目にしたがって、進捗状況を提示することができる。
【００１４】
請求項２の情報処理装置によれば、項目を、グループ印刷ジョブ毎に定めることができる。
【００１５】
請求項３の情報処理装置によれば、グループ印刷ジョブを構成している印刷ジョブが終了した数を項目とすることができる。
【００１６】
請求項４の情報処理装置によれば、進捗状況とともに項目を提示することができる。
【００１７】
請求項５の情報処理装置によれば、プログレスバーを用いて進捗状況を提示し、そのプログレスバー内に項目を提示することができる。
【００１８】
請求項６の情報処理プログラムによれば、グループ印刷ジョブについて、進捗状況を提示する項目にしたがって、進捗状況を提示することができる。
【図面の簡単な説明】
【００１９】
【図１】本実施の形態の構成例についての概念的なモジュール構成図である。
【図２】本実施の形態を利用したシステム構成例を示す説明図である。
【図３】本実施の形態の利用例を示す説明図である。
【図４】本実施の形態による画面の表示例を示す説明図である。
【図５】本実施の形態による処理例を示すフローチャートである。
【図６】グループ印刷ジョブ・進捗状況項目対応テーブルのデータ構造例を示す説明図である。
【図７】グループ印刷ジョブテーブルのデータ構造例を示す説明図である。
【図８】印刷ジョブテーブルのデータ構造例を示す説明図である。
【図９】印刷装置テーブルのデータ構造例を示す説明図である。
【図１０】本実施の形態による処理例を示すフローチャートである。
【図１１】印刷ジョブ・印刷装置対応テーブルのデータ構造例を示す説明図である。
【図１２】印刷装置別処理状況テーブルのデータ構造例を示す説明図である。
【図１３】グループ印刷ジョブ処理状況テーブルのデータ構造例を示す説明図である。
【図１４】画面の表示例を示す説明図である。
【図１５】本実施の形態による画面の表示例を示す説明図である。
【図１６】本実施の形態を実現するコンピュータのハードウェア構成例を示すブロック図である。
【発明を実施するための形態】
【００２０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２１】
本実施の形態である情報処理装置１００は、画像形成装置１５０（以下、印刷装置ともいう）に印刷ジョブを送信し、その印刷ジョブの進捗状況を提示するものであって、図１の例に示すように、印刷ジョブ記憶モジュール１０５、画像形成装置通信モジュール１１０、画像形成装置状況検知モジュール１１５、進捗状況提示モジュール１２０、グループ印刷ジョブ・進捗状況項目記憶モジュール１２５、進捗状況項目設定モジュール１３０を有している。
本実施の形態は、特に、複数の印刷ジョブによって構成されているグループ印刷ジョブの進捗状況を提示するものである。
【００２２】
グループ印刷ジョブは、複数の印刷ジョブによって構成されているものである。ユーザーによる印刷ジョブの管理方法に合わせて、印刷ジョブのまとまりであるグループ印刷ジョブが作成される。このグループ印刷ジョブによって、例えば、以下のような運用を可能にする。
（１）顧客から注文のあった注文に関連する印刷ジョブを一まとめとして扱うことができる。
（２）スプーラーとしての機能を有する情報処理装置１００に蓄積した印刷ジョブを、印刷工程作業者の都合に合わせて、以下のように作業を効率的に実施できる単位にまとめて扱うことができる。
（ａ）出力用紙毎にまとめる。
（ｂ）必要な後処理が同じものをまとめる。
（ｃ）担当する作業者毎にまとめる。
（ｄ）作業日・作業時刻にあわせてまとめる。
【００２３】
画像形成装置１５０として、例えば、プロダクションプリンターがある。プロダクションプリンターは、企業の社内印刷部門やプリントショップ等を対象として軽印刷を行うものである。一般的に、大量の印刷を担うものである。なお、プロダクションプリンターに限定することなく、一般的なプリンター（ビジネス用のプリンター、家庭用のプリンター等）に適用してもよい。
特に、プロダクションプリンターの場合、グループ印刷ジョブの進捗状況を提示することは、担当者であるユーザーにとって大量の印刷処理を管理する上で重要である。
【００２４】
印刷ジョブ記憶モジュール１０５は、画像形成装置通信モジュール１１０と接続されている。印刷ジョブ記憶モジュール１０５は、印刷ジョブ又はグループ印刷ジョブに関する情報を記憶している。例えば、図７、８を用いて後述するグループ印刷ジョブテーブル７００、印刷ジョブテーブル８００を記憶している。
【００２５】
画像形成装置通信モジュール１１０は、印刷ジョブ記憶モジュール１０５、画像形成装置状況検知モジュール１１５、画像形成装置１５０Ａ、画像形成装置１５０Ｂ、画像形成装置１５０Ｃと接続されている。画像形成装置通信モジュール１１０は、画像形成装置１５０との通信を行う。例えば、画像形成装置通信モジュール１１０は、印刷ジョブ記憶モジュール１０５内の印刷ジョブ又はグループ印刷ジョブを画像形成装置１５０に送信する。例えば、印刷のスケジュールがあり、そのスケジュールにしたがって、印刷ジョブ又はグループ印刷ジョブを画像形成装置１５０に送信し、印刷処理を行わせる。
そして、画像形成装置通信モジュール１１０は、画像形成装置状況検知モジュール１１５の指示にしたがって、画像形成装置１５０に対して、印刷ジョブ又はグループ印刷ジョブの進捗状況の問い合わせを行い、その返信として画像形成装置１５０から進捗状況を受け付ける。
【００２６】
画像形成装置状況検知モジュール１１５は、画像形成装置通信モジュール１１０、進捗状況提示モジュール１２０と接続されている。画像形成装置状況検知モジュール１１５は、画像形成装置通信モジュール１１０を介して、画像形成装置１５０から印刷ジョブ又はグループ印刷ジョブの進捗状況を受け付ける。
【００２７】
進捗状況提示モジュール１２０は、画像形成装置状況検知モジュール１１５、グループ印刷ジョブ・進捗状況項目記憶モジュール１２５と接続されている。進捗状況提示モジュール１２０は、進捗状況を提示する項目にしたがって、印刷ジョブ又はグループ印刷ジョブの進捗状況を提示する。ここで「進捗状況を提示する項目」として、予め定められた項目としてもよい。例えば、単独の印刷ジョブ（グループ印刷ジョブを構成していない印刷ジョブであって、１つの印刷ジョブだけで印刷処理を指定するものである）とは異なる項目としてもよい。また、グループ印刷ジョブ毎に定められていてもよい。その項目は、ユーザーが設定できるようにしてもよい。なお、提示には、液晶ディスプレイ等の表示装置への表示の他に、スピーカー等の音声出力装置による音声の出力、振動等を組み合わせてもよい。
「進捗状況を提示する項目」として、少なくともグループ印刷ジョブを構成している印刷ジョブが終了した数を含むようにしてもよい。終了した印刷ジョブの数の進捗状況は、個々の印刷ジョブは処理量が異なるものであるので、単に終了するまでの時間を示すものではなく、グループ印刷ジョブに含まれている個々の印刷ジョブの終了を知ることができるようになる。例えば、印刷物の所有者が異なる場合は、個々の印刷ジョブの終了を知ることによって、所有者毎の印刷物を回収することができるようになる。
進捗状況提示モジュール１２０は、進捗状況とともに項目を提示するようにしてもよい。その進捗状況として、プログレスバーを用いて提示し、そのプログレスバー内に、「進捗状況を提示する項目」を提示するようにしてもよい。なお、プログレスバーとは、グラフィカルユーザーインタフェースの要素（ウィジェット）の１つであり、全体の処理量のうち、現在、どこまで進んでいるかを提示するものである。例えば、水平方向のバーで進捗率を表すもの等がある。また、例えば、「進捗状況を提示する項目」が完了した印刷ジョブ数である場合には、そのプログレスバー上に、印刷完了した印刷ジョブ数又は割合（グループ印刷ジョブ内に含まれている全ての印刷ジョブの数に対して印刷が完了した印刷ジョブの数の割合）を提示するようにしてもよい。
進捗状況提示モジュール１２０は、「進捗状況を提示する項目」の最大値に合わせて、プログレスバーの単位を決定する。
【００２８】
グループ印刷ジョブ・進捗状況項目記憶モジュール１２５は、進捗状況提示モジュール１２０、進捗状況項目設定モジュール１３０と接続されている。グループ印刷ジョブ・進捗状況項目記憶モジュール１２５は、進捗状況項目設定モジュール１３０によって設定された「進捗状況を提示する項目」を記憶している。そして、その「進捗状況を提示する項目」を進捗状況提示モジュール１２０に渡す。例えば、図６を用いて後述するグループ印刷ジョブ・進捗状況項目対応テーブル６００を記憶している。
【００２９】
進捗状況項目設定モジュール１３０は、グループ印刷ジョブ・進捗状況項目記憶モジュール１２５と接続されている。進捗状況項目設定モジュール１３０は、グループ印刷ジョブについて、「進捗状況を提示する項目」を設定する。つまり、グループ印刷ジョブ単位でプログレスバーの項目を設定できる。ここでの設定は、予め定められた項目とすることであってもよいし、ユーザーの操作にしたがって設定することであってもよい。
また、進捗状況項目設定モジュール１３０は、グループ印刷ジョブの形成条件に応じて、プログレスバーの項目を設定することができるようにしてもよい。ここでの「形成条件」として、例えば、画像形成装置１５０にセットされている出力用紙としてＡ４用紙であることを条件としている場合は、印刷完了した面数をプログレスバーの項目として設定してもよい。画像形成装置１５０にセットされている出力用紙としてロール用紙であることを条件としている場合は、印刷完了したロール長をプログレスバーの項目として設定してもよい。また、同じ作業者である印刷ジョブをまとめてグループ印刷ジョブとした場合は、印刷ジョブの数をプログレスバーの項目として設定してもよい。これらは、例えば、グループ印刷ジョブの形成条件とプログレスバーの項目を対応させたテーブルを予め用意しておくことによって、実現してもよい。
【００３０】
画像形成装置１５０（画像形成装置１５０Ａ、画像形成装置１５０Ｂ、画像形成装置１５０Ｃ等）は、情報処理装置１００の画像形成装置通信モジュール１１０と接続されている。画像形成装置１５０は、情報処理装置１００から送信されてきた印刷ジョブ、又は、グループ印刷ジョブを受信して、その印刷ジョブにしたがって印刷処理を行う。そして、その印刷処理における進捗状況を情報処理装置１００の画像形成装置通信モジュール１１０に送信する。
なお、図１の例では、３つの画像形成装置１５０を接続しているが、１つ以上の画像形成装置１５０が接続されていればよい。
【００３１】
図２は、本実施の形態を利用したシステム構成例を示す説明図である。
なお、情報処理装置１００は、画像形成装置１５０の外部コントローラー内に備えつけられていてもよい。
図２（ａ）に示す例では、情報処理装置１００Ａは、ユーザー端末２１０（ユーザー端末２１０Ａ、ユーザー端末２１０Ｂ、ユーザー端末２１０Ｃ、ユーザー端末２１０Ｄ）、画像形成装置１５０（画像形成装置１５０Ａ、画像形成装置１５０Ｂ、画像形成装置１５０Ｃ）と接続されている。
情報処理装置１００Ａは、ユーザー端末２１０から印刷ジョブ又はグループ印刷ジョブを受け取って、その印刷ジョブ又はグループ印刷ジョブに適した画像形成装置１５０に、その印刷ジョブ又はグループ印刷ジョブを渡す。その画像形成装置１５０は、受け取った印刷ジョブ又はグループ印刷ジョブにしたがって印刷処理を行う。
【００３２】
図２（ｂ）に示す例では、情報処理装置１００Ａ、情報処理装置１００Ｂ、ユーザー端末２１０Ａ、ユーザー端末２１０Ｂ、ユーザー端末２１０Ｃ、ユーザー端末２１０Ｄは、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００による機能は、クラウドサービスとして実現してもよい。
情報処理装置１００Ａは、画像形成装置１５０Ａ、画像形成装置１５０Ｂ、画像形成装置１５０Ｃと接続されている。
情報処理装置１００Ｂは、画像形成装置１５０Ｄ、画像形成装置１５０Ｅ、画像形成装置１５０Ｆ、画像形成装置１５０Ｇと接続されている。
情報処理装置１００は、通信回線２９０経由で、ユーザー端末２１０から印刷ジョブ又はグループ印刷ジョブを受け取って、その印刷ジョブ又はグループ印刷ジョブに適した画像形成装置１５０に、その印刷ジョブ又はグループ印刷ジョブを渡す。その画像形成装置１５０は、受け取った印刷ジョブ又はグループ印刷ジョブにしたがって印刷処理を行う。
【００３３】
図３は、本実施の形態の利用例を示す説明図である。グループ印刷ジョブについて、さらに詳細に説明する。
グループ印刷ジョブは、複数の印刷ジョブによって構成されている。つまり、いくつかの印刷ジョブをまとめた単位であって、印刷ジョブを複数入れる箱のようなものである。したがって、グループ印刷ジョブそのものは印刷データや印刷設定を持たず、構成要素である印刷ジョブが個別に印刷データや印刷設定を持っている。
例えば、印刷で使う用紙が同じなど、ユーザーにとってメリットのある何らかの括りでいくつかの印刷ジョブをまとめ、その１つにまとめたグループ印刷ジョブに対して、印刷ジョブの一括操作を実現するものである。つまり、グループ印刷ジョブをあたかも１つの印刷ジョブとして扱うようにしている。
また、グループ印刷ジョブに含まれる印刷ジョブの集計情報（例えば、印刷枚数等）を、複数の画像形成装置１５０への印刷ジョブ投げ分け時における判断材料の１つとしている。
【００３４】
印刷ジョブ群３００として、印刷ジョブ３０２、印刷ジョブ３０４、印刷ジョブ３０６、印刷ジョブ３０８、印刷ジョブ３１０、印刷ジョブ３１２、印刷ジョブ３１４、印刷ジョブ３１６、印刷ジョブ３１８、印刷ジョブ３２０等がある。これらの中から、前述したように印刷ジョブをまとめることができる。例えば、印刷ジョブ３０４、印刷ジョブ３１０、印刷ジョブ３１４を含むグループ印刷ジョブＡ３３０を作成することができる。また、印刷ジョブ３０６、印刷ジョブ３１２、印刷ジョブ３１８を含むグループ印刷ジョブＢ３４０を作成することができる。
情報処理装置１００は、印刷ジョブ群３００の操作によって、各画像形成装置１５０に対して、例えば、印刷ジョブの送信、一時停止、試し刷り、印刷再開、キャンセル等の処理を行わせることができる。
グループ印刷ジョブＡ３３０では、印刷用紙としてある用紙Ａが設定されている場合、その用紙Ａが既にセット（「ストックＸがセット」ともいわれる）されている画像形成装置１５０Ａを選択して、グループ印刷ジョブＡ３３０を画像形成装置１５０Ａに送信する。
また、グループ印刷ジョブＢ３４０では、合計の印刷枚数が３０００枚である場合、その３０００枚の出力が途中での作業なしに（排紙受部から印刷途中で印刷済用紙を取り除くことなしに）印刷することができる画像形成装置１５０Ｂを選択して、グループ印刷ジョブＢ３４０を画像形成装置１５０Ｂに送信する。この場合、画像形成装置１５０Ｂの排紙受部は、３０００枚以上を受け取ることができるものである。
【００３５】
図４は、本実施の形態による画面４００の表示例を示す説明図である。情報処理装置１００におけるグループ印刷ジョブ、印刷ジョブの表示例を示すものである。
図４（ａ）では、画面４００には、印刷ジョブ表示領域４１０を表示している。印刷ジョブ表示領域４１０は、チェック欄４１２、ＩＤ欄４１４、印刷ジョブ名欄４１６、ステータス欄４１８、部数欄４２０、送信先欄４２２、詳細欄４２４を有している。チェック欄４１２は、処理対象とすることができるチェック欄を有している。ＩＤ欄４１４は、印刷ジョブ又はグループ印刷ジョブの識別情報（ＩＤ：ＩＤｅｎｔｉｆｉｃａｔｉｏｎ）を表示している。印刷ジョブ名欄４１６は、その印刷ジョブ又はグループ印刷ジョブの印刷ジョブ名を表示している。ステータス欄４１８は、その印刷ジョブ又はグループ印刷ジョブの現在の状況（ステータス）を表示している。部数欄４２０は、その印刷ジョブ又はグループ印刷ジョブにおける部数を表示している。送信先欄４２２は、その印刷ジョブ又はグループ印刷ジョブの送信先（画像形成装置１５０）を表示している。詳細欄４２４は、その印刷ジョブ又はグループ印刷ジョブの詳細を表示するためのボタンを有している。
【００３６】
グループ印刷ジョブの下記の操作方法は、単独の印刷ジョブ（従来の印刷ジョブ）に対するものと同じである。
−［編集］を除いた印刷ジョブ操作（送信、コピー、削除、保持／解除等）
−印刷ジョブ操作（プリント／再開、プルーフプリント、一時停止、キャンセル等）
また、各操作における操作可否や挙動は、グループ印刷ジョブ内に含まれる印刷ジョブのステータスに応じて変化する。
【００３７】
図４（ａ）の例に示す印刷ジョブ表示領域４１０では、１行目にＩＤ：１０、印刷ジョブ名：ジョブ１０、ステータス：送信待ち、部数：１、送信先：未定であることを示しており、２行目にＩＤ：９、印刷ジョブ名：グループジョブＡ（４ジョブ）、ステータス：送信待ち、部数：未定、送信先：未定であることを示しており、３行目にＩＤ：８、印刷ジョブ名：グループジョブＢ（３ジョブ）、ステータス：送信待ち、部数：未定、送信先：未定であることを示しており、４行目にＩＤ：１、印刷ジョブ名：ジョブ１、ステータス：送信待ち、部数：５、送信先：未定であることを示している。
そして、２行目、３行目の印刷ジョブ名欄４１６にグループ印刷ジョブマーク４３２、グループ印刷ジョブマーク４３４が付与されており、それがグループ印刷ジョブであることを示している。つまり、印刷ジョブ名欄４１６の先頭に、グループ印刷ジョブの開／閉状態を示すアイコン（図４では黒三角マーク）を表示している。グループ印刷ジョブマーク４３２、グループ印刷ジョブマーク４３４に対するユーザーの選択操作（クリック操作）で、対象としているグループ印刷ジョブの開閉表示が切り替わる。初期表示時は、全て閉じられた状態で表示される。なお、「開いている」とは、グループ印刷ジョブを構成している印刷ジョブを表示することであり（図４（ｂ）参照）、「閉じている」とは、グループ印刷ジョブだけを（あたかも１つの印刷ジョブであるかのように）表示することである。
【００３８】
グループ印刷ジョブを開いた状態を、図４（ｂ）の例に示す。
図４（ｂ）の例に示す印刷ジョブ表示領域４１０では、１行目にＩＤ：１０、印刷ジョブ名：ジョブ１０、ステータス：送信待ち、部数：１、送信先：未定であることを示しており、２行目にＩＤ：９、印刷ジョブ名：グループジョブＡ（４ジョブ）、ステータス：送信待ち、部数：未定、送信先：未定であることを示しており、３行目にＩＤ：６、印刷ジョブ名：ジョブ６、ステータス：送信待ち、部数：５、送信先：未定であることを示しており、４行目にＩＤ：５、印刷ジョブ名：ジョブ５、ステータス：送信待ち、部数：５、送信先：未定であることを示しており、５行目にＩＤ：４、印刷ジョブ名：ジョブ４、ステータス：送信待ち、部数：５、送信先：未定であることを示しており、６行目にＩＤ：３、印刷ジョブ名：ジョブ３、ステータス：送信待ち、部数：５、送信先：未定であることを示しており、７行目にＩＤ：８、印刷ジョブ名：グループジョブＢ（３ジョブ）、ステータス：送信待ち、部数：未定、送信先：未定であることを示しており、８行目にＩＤ：７、印刷ジョブ名：ジョブ７、ステータス：送信待ち、部数：５、送信先：未定であることを示しており、９行目にＩＤ：１１、印刷ジョブ名：グループジョブＣ（２ジョブ）、ステータス：送信待ち、部数：未定、送信先：未定であることを示しており、１０行目にＩＤ：１、印刷ジョブ名：ジョブ１、ステータス：送信待ち、部数：５、送信先：未定であることを示している。３行目から６行目までは、グループ印刷ジョブＡを構成している印刷ジョブ群を示しており、８行目と９行目は、グループ印刷ジョブＢを構成している印刷ジョブ群を示している。なお、グループ印刷ジョブ内にさらにグループ印刷ジョブを含めてもよい。グループ印刷ジョブＢには、グループ印刷ジョブＣが含まれている。なお、予め定められた階層数（例えば、最大３階層等）までのグループ印刷ジョブを形成できるようにしてもよい。
【００３９】
なお、図４（ｂ）の状態で、ＩＤ欄４１４のソートを行った場合、ソート対象は、ルート印刷ジョブ（グループ印刷ジョブの配下に位置しない印刷ジョブ、つまり、単独の印刷ジョブとグループ印刷ジョブのこと）である。グループ印刷ジョブを構成している印刷ジョブは、そのグループ印刷ジョブから外れてソート対象となることは好ましくないからである。
【００４０】
また、ユーザーの選択操作によって詳細欄４２４が選択された場合、その選択された行の印刷ジョブの属性をプロパティ画面（ポップアップ画面等）に提示する。つまり、そのグループ印刷ジョブに含まれる印刷ジョブの属性の統合結果を提示する。例えば、各属性の論理和、合計等を行う。具体的には、各印刷ジョブの属性を抽出し、必要とする後処理機能（例えば、ステープラー、製本、穴あけ等、フィニッシャーともいわれる）を抽出すること、用紙種類毎に枚数を合計すること等がある。
【００４１】
図５は、本実施の形態による処理例を示すフローチャートである。主に、進捗状況項目設定モジュール１３０によって行われる処理である。例えば、図４に示した画面４００内の詳細欄４２４で項目を設定する。
ステップＳ５０２では、グループ印刷ジョブであるか否かを判断し、グループ印刷ジョブの場合はステップＳ５０４へ進み、それ以外の場合は処理を終了する（ステップＳ５９９）。
ステップＳ５０４では、進捗状況項目の選択画面を表示する。例えば、プルダウンメニューによって、そのグループ印刷ジョブの進捗状況を示す項目をリスト表示する。具体的には、印刷した枚数、ロール紙の場合は印刷した長さ（メートル等）、印刷した部数、印刷完了した印刷ジョブ数又は割合等がある。
ステップＳ５０６では、進捗状況項目の選択を受け付ける。
ステップＳ５０８では、グループ印刷ジョブ・進捗状況項目対応テーブル６００に、グループ印刷ジョブＩＤと進捗状況項目の対応を記憶させる。
【００４２】
図６は、グループ印刷ジョブ・進捗状況項目対応テーブル６００のデータ構造例を示す説明図である。
グループ印刷ジョブ・進捗状況項目対応テーブル６００は、グループ印刷ジョブＩＤ欄６１０、進捗状況項目欄６２０を有している。グループ印刷ジョブＩＤ欄６１０は、本実施の形態において、グループ印刷ジョブを一意に識別するための情報（グループ印刷ジョブＩＤ：ＩＤｅｎｔｉｆｉｃａｔｉｏｎ）を記憶している。進捗状況項目欄６２０は、そのグループ印刷ジョブの進捗状況を示す項目を記憶している。
【００４３】
図７は、グループ印刷ジョブテーブル７００のデータ構造例を示す説明図である。グループ印刷ジョブテーブル７００は、印刷ジョブＩＤ欄７０５、グループフラグ欄７１０、グループ印刷ジョブ名欄７１５、印刷ジョブ数欄７２０、印刷ジョブＩＤ欄７２５を有している。印刷ジョブＩＤ欄７０５は、本実施の形態において、印刷ジョブ又はグループ印刷ジョブを一意に識別するための情報（印刷ジョブＩＤ）を記憶している。グループフラグ欄７１０は、グループ印刷ジョブであるか否かの情報（グループフラグ）を記憶している。グループ印刷ジョブ名欄７１５は、そのグループ印刷ジョブの名称を記憶している。印刷ジョブ数欄７２０は、そのグループ印刷ジョブに含まれている印刷ジョブ数を記憶している。印刷ジョブＩＤ欄７２５は、そのグループ印刷ジョブに含まれている印刷ジョブＩＤを記憶している。印刷ジョブＩＤ欄７２５内は、複数の印刷ジョブＩＤが記憶されている。
グループフラグ欄７１０をチェックすることによって、ステップＳ５０２の処理を行う。
例えば、図７は、印刷ジョブＩＤ：９は、グループフラグ：１（グループ印刷ジョブであることを示しているフラグ）であり、グループ印刷ジョブ名：グループジョブＡであり、印刷ジョブ数：５であり、印刷ジョブＩＤ：１、１０、１５、１６、２０によって構成されており、最優先印刷ジョブＩＤ：１５であることを示している。
なお、印刷ジョブＩＤ欄７２５内は、処理順に記載されている。つまり、印刷ジョブＩＤ欄７２５から印刷順を特定することができる。
【００４４】
印刷ジョブテーブル８００は、単独の印刷ジョブ又はグループ印刷ジョブを構成している印刷ジョブのデータ構造例を示している。
図８は、印刷ジョブテーブル８００のデータ構造例を示す説明図である。印刷ジョブテーブル８００は、印刷ジョブＩＤ欄８０５、グループフラグ欄８１０、印刷ジョブ名欄８１５、所有者欄８２０、頁数欄８２５、部数欄８３０、用紙サイズ欄８３５、用紙種欄８４０、印刷文書欄８４５、カラー／白黒欄８５０、指定日時欄８５５、後処理欄８６０を有している。印刷ジョブＩＤ欄８０５は、印刷ジョブＩＤを記憶している。グループフラグ欄８１０は、グループ印刷ジョブであるか否かの情報（グループフラグ）を記憶している。印刷ジョブ名欄８１５は、印刷ジョブ名を記憶している。所有者欄８２０は、その印刷ジョブの所有者（最終的な処理結果である印刷物の所有者、エンドユーザー）を記憶している。頁数欄８２５は、その印刷ジョブにおける印刷文書の頁数を記憶している。部数欄８３０は、その印刷ジョブにおける印刷の部数を記憶している。用紙サイズ欄８３５は、その印刷ジョブにおける用紙サイズを記憶している。用紙種欄８４０は、用紙種を記憶している。印刷文書欄８４５は、その印刷ジョブにおける印刷文書を記憶している。印刷文書そのものを記憶していてもよいし、その印刷文書が記憶されている場所（例えば、文書ＩＤ、文書名、ＵＲＬ：Ｕｎｉｆｏｒｍ  Ｒｅｓｏｕｒｃｅ  Ｌｏｃａｔｏｒ等）であってもよい。カラー／白黒欄８５０は、その印刷ジョブはカラー印刷であるか白黒印刷であるかの情報を記憶している。カラー／白黒欄８５０では、カラー、白黒だけでなく、特色（金色、銀色、蛍光色等）の指定ができてもよい。指定日時欄８５５は、その印刷ジョブを開始する（又は終了すべき）予定の日時（年、月、日、時、分、秒、秒以下、又はこれらの組み合わせであってもよい）を記憶している。後処理欄８６０は、その印刷ジョブにおける後処理（例えば、ステープラー処理、穴あけ処理、製本処理等）を記憶している。
【００４５】
印刷装置テーブル９００は、画像形成装置１５０に関する情報を管理する。例えば、単独の印刷ジョブ又はグループ印刷ジョブを処理する画像形成装置１５０を選択する場合に用いられる。
図９は、印刷装置テーブル９００のデータ構造例を示す説明図である。印刷装置テーブル９００は、印刷装置ＩＤ欄９０５、印刷装置名欄９１０、印刷速度欄９１５、装備可能なトナー種類欄９２０、装備可能な用紙欄９２５、両面印刷欄９３０、最大給紙容量欄９３５、排出先数欄９４０、後処理機能欄９４５、印刷コスト欄９５０を有している。印刷装置ＩＤ欄９０５は、本実施の形態において、印刷装置を一意に識別するための情報（印刷装置ＩＤ）を記憶している。印刷装置名欄９１０は、その印刷装置の名称を記憶している。印刷速度欄９１５は、その印刷装置の印刷速度を記憶している。なお、印刷速度欄９１５では、用紙の種類（Ａ４サイズ、Ａ３サイズ等）毎に印刷速度を設けてもよい。装備可能なトナー種類欄９２０は、その印刷装置に装備可能なトナーの種類を記憶している。例えば、カラートナーの種類（黒トナー、シアントナー、マゼンタトナー、イエロートナー、特色トナー等）である。装備可能な用紙欄９２５は、その印刷装置に装備可能な用紙を記憶している。両面印刷欄９３０は、その印刷装置は、両面印刷が可能か否かの情報を記憶している。最大給紙容量欄９３５は、その印刷装置の最大給紙容量を記憶している。排出先数欄９４０は、その印刷装置が有している排出先数を記憶している。さらに、その排出先における容量（排紙受部が排紙を受け入れることができる枚数）を記憶していてもよい。後処理機能欄９４５は、その印刷装置が有している後処理機能を記憶している。印刷コスト欄９５０は、その印刷装置における印刷コストを記憶している。
例えば、単独の印刷ジョブ又はグループ印刷ジョブの用紙サイズ（印刷ジョブテーブル８００の用紙サイズ欄８３５）の用紙で印刷可能であるか否かを印刷装置テーブル９００の装備可能な用紙欄９２５によって判断して、画像形成装置１５０を選択する。他にも、カラー印刷可能であるか否か（具体的には、カラー／白黒欄８５０と装備可能なトナー種類欄９２０とのマッチング処理）、印刷枚数を印刷途中で用紙の補充なしで印刷可能か否か（具体的には、頁数欄８２５と部数欄８３０を用いて印刷枚数を算出し、最大給紙容量欄９３５内の値以下であるか否か）等で選択してもよい。
なお、単独の印刷ジョブ又はグループ印刷ジョブを印刷できる印刷装置が複数ある場合は、印刷時間の短いもの（印刷速度が速いもの）、印刷コストが安いものを選択してもよい。
【００４６】
図１０は、本実施の形態（主に、進捗状況提示モジュール１２０）による処理例を示すフローチャートである。
ステップＳ１００２では、グループ印刷ジョブの進捗状況を提示するか否かを判断し、提示する場合はステップＳ１００４へ進む、それ以外の場合は提示することになるまで待機する。
ステップＳ１００４では、進捗状況の項目は完了した印刷ジョブ数であるか否かを判断し、進捗状況の項目が完了した印刷ジョブ数の場合はステップＳ１００６へ進み、それ以外の場合はステップＳ１０１４へ進む。具体的には、グループ印刷ジョブ・進捗状況項目対応テーブル６００を用いて進捗状況項目を抽出し、判断すればよい。
【００４７】
ステップＳ１００６では、グループ印刷ジョブテーブル７００（具体的には、印刷ジョブＩＤ欄７２５）を用いて、グループ印刷ジョブ内の印刷ジョブを抽出する。
ステップＳ１００８では、そのグループ印刷ジョブを処理している印刷装置を印刷ジョブ・印刷装置対応テーブル１１００を用いて特定する。印刷ジョブ・印刷装置対応テーブル１１００については、図１１の例を用いて後述する。
【００４８】
ステップＳ１０１０では、その印刷装置の進捗状況を受け付ける。例えば、後述する図１２、図１３に示す印刷装置別処理状況テーブル１２００、グループ印刷ジョブ処理状況テーブル１３００等を印刷装置から受信する。
ステップＳ１０１２では、処理中の印刷ジョブから、そのグループ印刷ジョブ内における進捗状況を算出する。例えば、印刷装置別処理状況テーブル１２００の印刷ジョブＩＤ欄１２３０内の印刷ジョブが、グループ印刷ジョブテーブル７００のグループ印刷ジョブ名欄７１５内の何番目に該当する印刷ジョブであるかを特定する。これによって、現在処理中の印刷ジョブは、グループ印刷ジョブ内の何番目にあたるかがわかることになる。例えば、５個の印刷ジョブのうち、３番目の印刷ジョブの処理中であれば、２個の印刷ジョブが完了していることとなり、プログレスバーには４０％の印刷完了であることを示すことになる。
【００４９】
ステップＳ１０１４では、グループ印刷ジョブに属している印刷ジョブの属性値を合計する。進捗状況の項目の値を合計する。例えば、進捗状況の項目が枚数である場合、各印刷ジョブにおける印刷枚数を合計することになる。
ステップＳ１０１６では、既に終了した印刷ジョブの属性値と現在処理中の印刷ジョブにおける処理済の属性値を合計する。例えば、進捗状況の項目が枚数である場合、既に完了した印刷ジョブにおける印刷枚数を合計し、そして、現在処理中の印刷ジョブにおける完了した印刷枚数を加算する。
ステップＳ１０１８では、ステップＳ１０１４とステップＳ１０１６の処理結果を用いて、進捗状況を算出する。例えば、進捗状況の項目が枚数である場合、ステップＳ１０１４で算出した印刷枚数に対して、ステップＳ１０１６で算出した印刷枚数の割合を算出する。もちろんのことながら、印刷枚数の他に、ロール紙の場合は印刷した長さ（メートル等）、印刷した部数等であってもよい。
ステップＳ１０２０では、プログレスバーを提示する。ステップＳ１０１２、ステップＳ１０１８で算出した処理状況にしたがって、プログレスバーを提示する。
【００５０】
図１１は、印刷ジョブ・印刷装置対応テーブル１１００のデータ構造例を示す説明図である。
印刷ジョブ・印刷装置対応テーブル１１００は、グループ印刷ジョブＩＤ又は印刷ジョブＩＤ欄１１１０、印刷装置ＩＤ欄１１２０を有している。グループ印刷ジョブＩＤ又は印刷ジョブＩＤ欄１１１０は、グループ印刷ジョブＩＤ又は印刷ジョブＩＤを記憶している。印刷装置ＩＤ欄１１２０は、グループ印刷ジョブＩＤ又は印刷ジョブＩＤに従って印刷処理している印刷装置の印刷装置ＩＤを記憶している。
【００５１】
図１２は、印刷装置別処理状況テーブル１２００のデータ構造例を示す説明図である。
印刷装置別処理状況テーブル１２００は、印刷装置ＩＤ欄１２１０、日時欄１２２０、印刷ジョブＩＤ欄１２３０、印刷ページ数欄１２４０、面数欄１２５０、部数欄１２６０を有している。印刷装置ＩＤ欄１２１０は、印刷装置ＩＤを記憶している。日時欄１２２０は、その印刷装置が処理状況についての報告日時を記憶している。印刷ジョブＩＤ欄１２３０は、その印刷装置が処理している印刷ジョブＩＤを記憶している。印刷ページ数欄１２４０は、その日時の時点で印刷完了したページ数を記憶している。面数欄１２５０は、その日時の時点で印刷完了した面数を記憶している。部数欄１２６０は、その日時の時点で印刷完了した部数を記憶している。
【００５２】
図１３は、グループ印刷ジョブ処理状況テーブル１３００のデータ構造例を示す説明図である。
グループ印刷ジョブ処理状況テーブル１３００は、グループ印刷ジョブＩＤ欄１３１０、処理状況フラグ欄１３２０、印刷ジョブ数欄１３３０、開始日時欄１３４０、完了日時欄１３５０等を有している。グループ印刷ジョブＩＤ欄１３１０は、グループ印刷ジョブＩＤを記憶している。処理状況フラグ欄１３２０は、処理状況フラグを記憶している。例えば、「１：待機中」、「２：印刷中」、「３：完了」、「４：エラー停止中」である。印刷ジョブ数欄１３３０は、そのグループ印刷ジョブを構成している印刷ジョブ数を記憶している。開始日時欄１３４０は、そのグループ印刷ジョブの印刷を開始した日時を記憶している。完了日時欄１３５０は、そのグループ印刷ジョブの印刷を完了した日時を記憶している。
【００５３】
図１４は、本実施の形態を用いていない場合（従来の表示方法をそのままグループ印刷ジョブに適用した場合）の画面１４００の表示例を示す説明図である。
画面１４００には、印刷ジョブ表示領域１４１０を表示している。印刷ジョブ表示領域１４１０は、チェック欄１４１２、ＩＤ欄１４１４、印刷ジョブ名欄１４１６、ステータス欄１４１８、部数欄１４２０、送信先欄１４２２、プログレス欄１４２４、詳細欄１４２６を有している。
印刷ジョブ表示領域１４１０は、図４の例を用いて説明した印刷ジョブ表示領域４１０にプログレス欄１４２４を付加したものである。印刷ジョブ表示領域１４１０内のチェック欄１４１２、ＩＤ欄１４１４、印刷ジョブ名欄１４１６、ステータス欄１４１８、部数欄１４２０、送信先欄１４２２、詳細欄１４２６は、それぞれ図４の例に示した印刷ジョブ表示領域４１０内のチェック欄４１２、ＩＤ欄４１４、印刷ジョブ名欄４１６、ステータス欄４１８、部数欄４２０、送信先欄４２２、詳細欄４２４と同等である。プログレス欄１４２４に、各印刷ジョブ又はグループ印刷ジョブにおける進捗状況を提示している。この例では、印刷枚数でプログレスバーを提示している。
図４の例でも説明したように、単独の印刷ジョブとグループ印刷ジョブが印刷ジョブ表示領域１４１０内に提示されている。そして、グループ印刷ジョブ（グループ印刷ジョブマーク１４３２、グループ印刷ジョブマーク１４３６が付されたグループ印刷ジョブ）も、形成条件が異なるにもかかわらず、同じ項目（印刷枚数）でのプログレスバー１４３４、プログレスバー１４３８が提示されている。例えば、グループ印刷ジョブマーク１４３２が付されたグループ印刷ジョブは、出力用紙毎（例えば、Ａ４用紙）にまとめられた印刷ジョブ群であるが、グループ印刷ジョブマーク１４３６が付されたグループ印刷ジョブは、担当する作業者毎にまとめられた印刷ジョブ群である。この場合、前者は、印刷完了した面数をプログレスバーで確認したいが、後者は、印刷ジョブの数をプログレスバーで確認したい。
しかし、一律に印刷枚数でプログレスバーが提示されている。つまり、グループ印刷ジョブの形成条件が異なっており、確認したい項目が異なっているにもかかわらず、同じ項目でプログレスバーが提示されている。
【００５４】
図１５は、本実施の形態による画面１５００の表示例を示す説明図である。
画面１５００には、印刷ジョブ表示領域１５１０を表示している。印刷ジョブ表示領域１５１０は、チェック欄１５１２、ＩＤ欄１５１４、印刷ジョブ名欄１５１６、ステータス欄１５１８、部数欄１５２０、送信先欄１５２２、プログレス欄１５２４、詳細欄１５２６を有している。
印刷ジョブ表示領域１５１０は、図４の例を用いて説明した印刷ジョブ表示領域４１０にプログレス欄１５２４を付加したものである。印刷ジョブ表示領域１５１０内のチェック欄１５１２、ＩＤ欄１５１４、印刷ジョブ名欄１５１６、ステータス欄１５１８、部数欄１５２０、送信先欄１５２２、詳細欄１５２６は、それぞれ図４の例に示した印刷ジョブ表示領域４１０内のチェック欄４１２、ＩＤ欄４１４、印刷ジョブ名欄４１６、ステータス欄４１８、部数欄４２０、送信先欄４２２、詳細欄４２４と同等である。
この例では、プログレスバー１５３４によって、印刷完了した面数を確認でき、プログレスバー１５３８によって、印刷ジョブの数を確認できるようになっている。そして、プログレスバー１５３４内には、項目名である「面数」と、完了した面数とそのグループ印刷ジョブで印刷すべき総面数を提示している。そして、プログレスバー１５３８内には、項目名である「ジョブ数」と、完了した印刷ジョブ数とそのグループ印刷ジョブを構成している印刷ジョブ数を提示している。つまり、グループ印刷ジョブの形成条件に応じて、プログレスバーを提示している。
また、グループ印刷ジョブについては、異なる項目についての複数のプログレスバーを提示するようにしてもよい。例えば、他の印刷ジョブと同じ項目（例えば、印刷枚数）のプログレスバーとそのグループ印刷ジョブ独自の項目のプログレスバーの２つを提示するようにしてもよい。
また、グループ印刷ジョブについては、そのグループ印刷ジョブを構成している印刷ジョブ毎に、その印刷ジョブに設定された項目でプログレスバーを提示するようにしてもよい。したがって、グループ印刷ジョブ内の処理中の印刷ジョブが変わる都度に、異なる項目でプログレスバーを提示することがある。
また、プログレスバーには、進捗状況に加えて締切条件もともに表示するようにしてもよい。例えば、締め切り日時そのものをプログレスバーに重ねて表示してもよいし、締め切り日時までの時間をプログレスバーに重ねて表示してもよい。
【００５５】
図１６を参照して、本実施の形態の情報処理装置１００のハードウェア構成例について説明する。図１６に示す構成は、例えばパーソナルコンピュータ（ＰＣ）等によって構成されるものであり、スキャナ等のデータ読み取り部１６１７と、プリンター等のデータ出力部１６１８を備えたハードウェア構成例を示している。
【００５６】
ＣＰＵ（Ｃｅｎｔｒａｌ  Ｐｒｏｃｅｓｓｉｎｇ  Ｕｎｉｔ）１６０１は、前述の実施の形態において説明した各種のモジュール、すなわち、画像形成装置通信モジュール１１０、画像形成装置状況検知モジュール１１５、進捗状況提示モジュール１２０、進捗状況項目設定モジュール１３０等の各モジュールの実行シーケンスを記述したコンピュータ・プログラムにしたがった処理を実行する制御部である。
【００５７】
ＲＯＭ（Ｒｅａｄ  Ｏｎｌｙ  Ｍｅｍｏｒｙ）１６０２は、ＣＰＵ１６０１が使用するプログラムや演算パラメータ等を格納する。ＲＡＭ（Ｒａｎｄｏｍ  Ａｃｃｅｓｓ  Ｍｅｍｏｒｙ）１６０３は、ＣＰＵ１６０１の実行において使用するプログラムや、その実行において適宜変化するパラメータ等を格納する。これらはＣＰＵバス等から構成されるホストバス１６０４により相互に接続されている。
【００５８】
ホストバス１６０４は、ブリッジ１６０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１６０６に接続されている。
【００５９】
キーボード１６０８、マウス等のポインティングデバイス１６０９は、操作者により操作されるデバイスである。ディスプレイ１６１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１６０９とディスプレイ１６１０の両方の機能を備えているタッチスクリーン等であってもよい。その場合、キーボードの機能の実現について、キーボード１６０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００６０】
ＨＤＤ（Ｈａｒｄ  Ｄｉｓｋ  Ｄｒｉｖｅ）１６１１は、ハードディスク（フラッシュ・メモリ等であってもよい）を内蔵し、ハードディスクを駆動し、ＣＰＵ１６０１によって実行するプログラムや情報を記録又は再生させる。ハードディスクは、印刷ジョブ記憶モジュール１０５、グループ印刷ジョブ・進捗状況項目記憶モジュール１２５等としての機能を実現させる。さらに、その他の各種データ（グループ印刷ジョブ・進捗状況項目対応テーブル６００、グループ印刷ジョブテーブル７００、印刷ジョブテーブル８００、印刷装置テーブル９００、印刷ジョブ・印刷装置対応テーブル１１００、印刷装置別処理状況テーブル１２００、グループ印刷ジョブ処理状況テーブル１３００）、各種コンピュータ・プログラム等が格納される。
【００６１】
ドライブ１６１２は、装着されている磁気ディスク、光ディスク、光磁気ディスク、又は半導体メモリ等のリムーバブル記録媒体１６１３に記録されているデータ又はプログラムを読み出して、そのデータ又はプログラムを、インタフェース１６０７、外部バス１６０６、ブリッジ１６０５、及びホストバス１６０４を介して接続されているＲＡＭ１６０３に供給する。なお、リムーバブル記録媒体１６１３も、データ記録領域として利用可能である。
【００６２】
接続ポート１６１４は、外部接続機器１６１５を接続するポートであり、ＵＳＢ、ＩＥＥＥ１３９４等の接続部を持つ。接続ポート１６１４は、インタフェース１６０７、及び外部バス１６０６、ブリッジ１６０５、ホストバス１６０４等を介してＣＰＵ１６０１等に接続されている。通信部１６１６は、通信回線に接続され、外部とのデータ通信処理を実行する。データ読み取り部１６１７は、例えばスキャナであり、ドキュメントの読み取り処理を実行する。データ出力部１６１８は、例えばプリンターであり、ドキュメントデータの出力処理を実行する。
【００６３】
なお、図１６に示す情報処理装置１００のハードウェア構成は、１つの構成例を示すものであり、本実施の形態は、図１６に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１６に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンター、複合機（スキャナ、プリンター、複写機、ファックス等のいずれか２つ以上の機能を有している画像処理装置）などに組み込まれていてもよい。
【００６４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６５】
１００…情報処理装置
１０５…印刷ジョブ記憶モジュール
１１０…画像形成装置通信モジュール
１１５…画像形成装置状況検知モジュール
１２０…進捗状況提示モジュール
１２５…グループ印刷ジョブ・進捗状況項目記憶モジュール
１３０…進捗状況項目設定モジュール
１５０…画像形成装置
２１０…ユーザー端末
２９０…通信回線
【図１】
2019096022.tif 000003
【図２】
2019096022.tif 000004
【図３】
2019096022.tif 000005
【図４】
2019096022.tif 000006
【図５】
2019096022.tif 000007
【図６】
2019096022.tif 000008
【図７】
2019096022.tif 000009
【図８】
2019096022.tif 000010
【図９】
2019096022.tif 000011
【図１０】
2019096022.tif 000012
【図１１】
2019096022.tif 000013
【図１２】
2019096022.tif 000014
【図１３】
2019096022.tif 000015
【図１４】
2019096022.tif 000016
【図１５】
2019096022.tif 000017
【図１６】
2019096022.tif 000018